(57)【要約】      （修正有）【課題】外国人の旅行者が認識可能な多言語の情報を提供するとともに、外国人の旅行者が後で情報の確認を行うことを可能とする。【解決手段】移動手段１、２に設置された情報提供装置１００Ａ、１００Ｂと、旅行者に携帯される携帯端末３と、情報を提供するサーバ３０とを備える。情報提供装置は、移動手段１、２の位置情報を取得する第１位置情報取得部と、第１位置情報取得部で取得された位置情報をサーバ３０に送信し、サーバから送信された情報を携帯端末３に送信する第１制御部と、を有する。サーバ３０は、情報提供装置から送信された位置情報に対応する多言語の情報を検索し、検索した多言語の情報を情報提供装置に送信する管理部３２を有する。【選択図】図１
2016177415.tif 000002
【特許請求の範囲】
【請求項１】
移動手段に設置された情報提供装置と、旅行者に携帯される携帯端末と、情報を提供するサーバと、を備え、
前記情報提供装置は、
前記移動手段の位置情報を取得する第１位置情報取得部と、
前記第１位置情報取得部で取得された前記位置情報を前記サーバに送信し、前記サーバから送信された情報を前記携帯端末に送信する第１制御部と、を有し、
前記サーバは、
前記情報提供装置から送信された前記位置情報に対応する多言語の情報を検索し、検索した前記多言語の情報を前記情報提供装置に送信する管理部と、を有する情報提供システム。
【請求項２】
前記情報提供装置は、前記移動手段の窓に設けられ、該移動手段の外の景色に重畳して前記多言語の情報を表示する第１表示部を有する請求項１に記載の情報提供システム。
【請求項３】
前記情報提供装置は、前記多言語の情報を音声出力する第１音声出力部を有する請求項１または請求項２に記載の情報提供システム。
【請求項４】
前記携帯端末は、前記情報提供装置から送信された前記多言語の情報を表示する第２表示部を有する請求項１から請求項３のいずれか１項に記載の情報提供システム。
【請求項５】
前記携帯端末は、前記情報提供装置から送信された前記多言語の情報を音声出力する第２音声出力部を有する請求項１から請求項４のいずれか１項に記載の情報提供システム。
【請求項６】
屋内に設置され、位置情報を送信する送信機を備え、
前記携帯端末は、
前記送信機から送信された前記位置情報を取得する第２位置情報取得部と、
前記第２位置情報取得部で取得された前記位置情報を前記サーバに送信し、前記サーバから送信された情報を第２表示部に表示する第２制御部と、を有し、
前記管理部は、前記携帯端末から送信された前記位置情報に対応する多言語の情報を検索し、検索した前記多言語の情報を前記携帯端末に送信する請求項１から請求項５のいずれか１項に記載の情報提供システム。
【請求項７】
旅行者に情報を提供する情報提供方法であって、
移動手段に設置された情報提供装置は、前記移動手段の位置情報を取得し、取得した前記位置情報をサーバに送信し、
前記サーバは、前記情報提供装置から送信された前記位置情報に対応する多言語の情報を検索し、検索した前記多言語の情報を前記情報提供装置に送信し、
前記情報提供装置は、前記サーバから送信された前記多言語の情報を旅行者に携帯される携帯端末に送信する情報提供方法。
【請求項８】
前記情報提供装置は、前記移動手段の窓に設けられた第１表示部において前記移動手段の外の景色に重畳して前記多言語の情報を表示する請求項７に記載の情報提供方法。
【請求項９】
前記情報提供装置は、第１音声出力部から前記多言語の情報を音声出力する請求項７または請求項８に記載の情報提供方法。
【請求項１０】
前記携帯端末は、第２表示部において、前記情報提供装置から送信された前記多言語の情報を表示する請求項７から請求項９のいずれか１項に記載の情報提供方法。
【請求項１１】
前記携帯端末は、第２音声出力部において、前記情報提供装置から送信された前記多言語の情報を音声出力する請求項７から請求項１０のいずれか１項に記載の情報提供方法。
【請求項１２】
前記携帯端末は、
屋内に設置された送信機から送信された位置情報を取得し、
取得した前記位置情報を前記サーバに送信し、前記サーバから送信された情報を第２表示部に表示し、
前記サーバは、前記携帯端末から送信された前記位置情報に対応する多言語の情報を検索し、検索した前記多言語の情報を前記携帯端末に送信する請求項７から請求項１１のいずれか１項に記載の情報提供方法。
【発明の詳細な説明】
【技術分野】
【０００１】
本発明は、観光ガイドなどの情報を提供する情報提供システム及び情報提供方法に関する。
【背景技術】
【０００２】
旅行者は、観光ガイドなどの情報を得るために、一般に、ガイドブックを参照したり、携帯電話やスマートフォンなどの携帯端末で情報を検索して取得する。また、旅行者の位置に応じた広告や観光ガイドなどの情報を提供するシステムとして例えば特許文献１に記載されたものがある。このシステムは、ＧＰＳ（Global Positioning System）などから取得した位置情報に基づいて列車などの移動手段の位置を特定し、特定した位置に対応する情報を移動体の窓に設置された表示装置に表示する。これにより、旅行者の位置に応じた情報を旅行者に提供することができる。
【先行技術文献】
【特許文献】
【０００３】
【特許文献１】特開２０１１−２２７４６９号公報
【発明の概要】
【発明が解決しようとする課題】
【０００４】
しかしながら、旅行者が外国人の場合、旅行者は日本語の情報を理解することができない。このため、旅行者が理解可能な外国語の情報を提供する必要がある。また、旅行者が外国人の場合、旅行者は日本国内で利用可能な携帯端末を持っていないことが想定される。この場合、旅行者が観光ガイドなどの情報を後で確認しようと思っても、そのような情報の確認が行えず不便である。
【０００５】
本発明は、前述した事情に鑑みてなされたものであり、外国人の旅行者が認識可能な情報を提供するとともに、外国人の旅行者が後で情報の確認を行うことができる情報提供システム及び情報提供方法を得ることを目的とする。
【課題を解決するための手段】
【０００６】
上記目的を達成するために、本発明では、移動手段に設置された情報提供装置と、旅行者に携帯される携帯端末と、情報を提供するサーバと、を備え、情報提供装置は、移動手段の位置情報を取得する第１位置情報取得部と、第１位置情報取得部で取得された位置情報をサーバに送信し、サーバから送信された情報を携帯端末に送信する第１制御部と、を有し、サーバは、情報提供装置から送信された位置情報に対応する多言語の情報を検索し、検索した多言語の情報を情報提供装置に送信する管理部と、を有する情報提供システムを提供する。
【０００７】
また、情報提供装置は、移動手段の窓に設けられ、該移動手段の外の景色に重畳して多言語の情報を表示する第１表示部を有する構成でもよい。また、情報提供装置は、多言語の情報を音声出力する第１音声出力部を有する構成でもよい。
【０００８】
また、携帯端末は、情報提供装置から送信された多言語の情報を表示する第２表示部を有する構成でもよい。また、携帯端末は、情報提供装置から送信された多言語の情報を音声出力する第２音声出力部を有する構成でもよい。
【０００９】
また、屋内に設置され、位置情報を送信する送信機を備え、携帯端末は、送信機から送信された位置情報を取得する第２位置情報取得部と、第２位置情報取得部で取得された位置情報をサーバに送信し、サーバから送信された情報を第２表示部に表示する第２制御部と、を有し、管理部は、携帯端末から送信された位置情報に対応する多言語の情報を検索し、検索した多言語の情報を携帯端末に送信する構成でもよい。
【００１０】
また、本発明では、旅行者に情報を提供する情報提供方法であって、移動手段に設置された情報提供装置は、移動手段の位置情報を取得し、取得した位置情報をサーバに送信し、サーバは、情報提供装置から送信された位置情報に対応する多言語の情報を検索し、検索した多言語の情報を情報提供装置に送信し、情報提供装置は、サーバから送信された多言語の情報を旅行者に携帯される携帯端末に送信する情報提供方法を提供する。
【００１１】
また、情報提供装置は、移動手段の窓に設けられた第１表示部において移動手段の外の景色に重畳して多言語の情報を表示する構成でもよい。また、情報提供装置は、第１音声出力部から多言語の情報を音声出力する構成でもよい。
【００１２】
また、携帯端末は、第２表示部において、情報提供装置から送信された多言語の情報を表示する構成でもよい。また、携帯端末は、第２音声出力部において、情報提供装置から送信された多言語の情報を音声出力する構成でもよい。
【００１３】
また、携帯端末は、屋内に設置された送信機から送信された位置情報を取得し、取得した位置情報をサーバに送信し、サーバから送信された情報を第２表示部に表示し、サーバは、携帯端末から送信された位置情報に対応する多言語の情報を検索し、検索した多言語の情報を携帯端末に送信する構成でもよい。
【発明の効果】
【００１４】
本発明によれば、移動手段に設置された情報提供装置と、旅行者に携帯される携帯端末と、情報を提供するサーバとを備え、情報提供装置は、移動手段の位置情報を取得する第１位置情報取得部と、第１位置情報取得部で取得された位置情報をサーバに送信し、サーバから送信された情報を携帯端末に送信する第１制御部と、を有し、サーバは、情報提供装置から送信された位置情報に対応する多言語の情報を検索し、検索した多言語の情報を情報提供装置に送信する管理部とを有するので、外国人の旅行者が認識可能な多言語の情報を提供することができるとともに、外国人の旅行者が後で情報の確認を行うことができる。
【図面の簡単な説明】
【００１５】
【図１】本発明の実施形態に係る情報提供システムの構成を示す構成図である。
【図２】移動手段に設置される情報提供装置の構成を示すブロック図である。
【図３】第１表示部及び第１音声出力部の設置位置の例を示す図である。
【図４】携帯端末の構成を示すブロック図である。
【図５】本発明の実施形態に係る情報提供システムの動作を説明するためのシーケンス図である。
【発明を実施するための形態】
【００１６】
以下、本発明の実施形態について図面を参照して説明する。ただし、本発明はこれに限定されるものではない。また、図面においては、実施形態を説明するため、一部分を大きくまたは強調して記載するなど適宜縮尺を変更して表現することがある。
【００１７】
図１は、本発明の実施形態に係る情報提供システムＳＹＳの構成を示す構成図である。図１に示す情報提供システムＳＹＳは、日本人や外国人の旅行者に多言語の情報を提供するシステムである。図１に示すように、情報提供システムＳＹＳは、バス１や船２のような移動手段に設置された情報提供装置１００Ａ，１００Ｂ、旅行者に携帯される携帯端末３、及びサーバ３０を備えている。
【００１８】
情報提供装置１００Ａ，１００Ｂは、移動手段の位置に応じた多言語の情報を旅行者に提供する装置である。情報提供装置１００Ａは、日本人や外国人の旅行者が乗車するバス１に設置され、情報提供装置１００Ｂは、日本人や外国人の旅行者が乗船する船２に設置されている。情報提供装置１００Ａ，１００Ｂは、ＧＰＳ衛星からの位置情報（ここではＧＰＳ衛星の軌道情報や時刻情報を含む情報）を取得する位置情報取得機能（ＧＰＳ機能）を備える。また、情報提供装置１００Ａ，１００Ｂは、基地局１０及びネットワーク２０を通じて携帯端末３及びサーバ３０との間で情報の送受信を行う通信機能を備える。なお、情報提供装置１００Ａ，１００Ｂの詳細な構成は後述する（図２参照）。
【００１９】
携帯端末３は、旅行者が携帯可能な携帯電話、スマートフォンなどの端末である。本実施形態では、情報提供サービスの提供者が旅行者に携帯端末３を提供する（貸し出す）。従って、旅行者は、日本国内で利用可能な携帯端末を持っていなくても、携帯端末３を通じて情報の提供を受けることができる。携帯端末３は、送信機４０から送信される位置情報を取得する位置情報取得機能を備える。また、携帯端末３は、基地局１０及びネットワーク２０を通じて情報提供装置１００Ａ，１００Ｂ及びサーバ３０との間で情報の送受信を行う通信機能を備える。また、携帯端末３は、電子メールを送信する機能も備える。なお、携帯端末３の詳細な構成は後述する（図４参照）。
【００２０】
基地局１０は、携帯端末３と直接電波を送受信する装置であって、移動体通信網やインターネットなどからなるネットワーク２０と接続されている。サーバ３０は、旅行者に対して情報提供サービスを提供する装置であって、コンピュータなどで構成されている。サーバ３０は、ネットワーク２０に接続されている。図１に示すように、サーバ３０は、サーバ側通信部３１、管理部３２、及びサーバ側記憶部３３を備えている。
【００２１】
サーバ側通信部３１は、ネットワーク２０を通じて情報提供装置１００Ａ，１００Ｂや携帯端末３との間で情報の送受信を行う処理部である。管理部３２は、旅行者に提供する情報を管理する処理部である。本実施形態では、管理部３２は、情報提供装置１００Ａ，１００Ｂや携帯端末３から送信される位置情報をサーバ側通信部３１が受信した場合、その位置情報に応じた情報を、サーバ側記憶部３３に設けられたデータベース３３ａ内で検索する。管理部３２は、検索した情報をデータベース３３ａから読み出し、読み出した情報をサーバ側通信部３１を介して情報提供装置１００Ａ，１００Ｂや携帯端末３に送信する。
【００２２】
サーバ側記憶部３３は、サーバ３０における情報提供サービスの実現に必要な各種情報（制御プログラム、パラメータ等）を記憶する。図１に示すように、サーバ側記憶部３３にはデータベース３３ａが設けられている。データベース３３ａは、位置情報と、旅行者に提供する情報とを対応つけて記憶している。旅行者に提供する情報は、旅行者の位置（移動手段１，２の位置）に対応した観光ガイドの情報、旅行者の位置の近くのお店情報（ショップ情報）、旅行者の位置の近くの飲食店の情報（グルメ情報）、旅行者の位置の近くにあるホテルなどの宿泊先情報、旅行者の位置にゆかりのある歴史情報などを含む。また、これらの情報には、各々についてさらに詳しい解説が掲載されたサイトのＵＲＬの情報を含む。また、これらの情報は、日本語の情報だけでなく、複数の言語（外国語）に翻訳された情報、例えば英語、中国語、韓国語、フランス語、スペイン語、ドイツ語、イタリア語などに翻訳された情報を含む。さらに、これらの情報は、文字、画像などのデータと、音声データとを含む。これらの情報の集合を多言語の情報という。
【００２３】
送信機４０は、位置情報を送信する装置であって、例えば建物の屋内に設置されている。携帯端末３が建物の屋内に設置された送信機４０からの位置情報を取得し、取得した位置情報をサーバ３０に送信する。これにより、サーバ３０が旅行者の位置を特定することができ、旅行者の位置に応じた多言語の情報を提供することが可能となる。なお、屋内に設置された送信機４０からの位置情報に基づき、屋内の位置情報を取得する技術（屋内測位技術）はＩＭＥＳ（Indoor MEssaging System）と呼ばれている。
【００２４】
次に、移動手段１，２に設置される情報提供装置１００Ａ，１００Ｂの構成について説明する。図２は、移動手段１，２に設置される情報提供装置１００Ａ，１００Ｂの構成を示すブロック図である。図２に示すように、情報提供装置１００（１００Ａ，１００Ｂ）は、第１位置情報取得部１０１、第１通信部１０２、第１表示部１０３、第１音声出力部１０４、第１制御部１０５、及び第１記憶部１０６を有している。
【００２５】
第１位置情報取得部１０１は、ＧＰＳ衛星から送信される位置情報を受信して取得する処理部である。第１通信部１０２は、携帯端末３やサーバ３０との間で情報の送受信を行う処理部である。第１表示部１０３は、情報を表示する装置である。第１音声出力部１０４は、音声情報を出力する装置（例えばスピーカ）である。第１制御部１０５は、情報提供装置１００全般の制御を司る処理部である。第１記憶部１０６は、情報提供装置１００の制御に必要な各種情報を記憶する。
【００２６】
図３は、第１表示部１０３及び第１音声出力部１０４の設置位置の例を示す図である。図３はバス１や船２の内部の様子を示している。図３に示すように、バス１や船２の中には複数の座席５０が設けられている。各座席５０に旅行者が座っている。第１表示部１０３は透明液晶ディスプレイで構成されている。透明液晶ディスプレイは、通常の液晶パネルからバックライトを取り外し、液晶パネルの偏光フィルムを特殊フィルムに偏向することにより、情報を表示する液晶画面の裏側（座席５０に座っている旅行者の反対側）が透けて見える液晶ディスプレイである。図３に示すように、第１表示部１０３を構成する透明液晶ディスプレイのパネルを窓６０の透明なガラスの表面に設置することで、バス１や船２の座席５０に座っている旅行者が窓６０の外の景色３０１を見ながら多言語の情報３００を確認することができる。また、図３に示すように、座席５０には第１音声出力部１０４が設置されている。従って、座席５０に座っている旅行者は窓６０の外の景色３０１を見ながら多言語の情報を聞くことができる。
【００２７】
次に、携帯端末３の構成について説明する。図４は、携帯端末３の構成を示すブロック図である。図４に示すように、携帯端末３は、第２位置情報取得部２０１、第２通信部２０２、第２表示部２０３、第２音声出力部２０４、第２操作部２０５、第２制御部２０６、及び第２記憶部２０７を有している。
【００２８】
第２位置情報取得部２０１は、送信機４０から送信される位置情報を受信して取得する処理部である。第２通信部２０２は、情報提供装置１００やサーバ３０との間で情報の送受信を行う処理部である。第２表示部２０３は、情報を表示する装置である。この第２表示部２０３は例えば通常の液晶ディスプレイで構成されている。第２音声出力部２０４は、音声情報を出力する装置（例えばスピーカ）である。第２操作部２０５は、旅行者が操作可能なボタン、スイッチ、タッチパネルなどで構成された装置である。第２操作部２０５が旅行者に操作されることにより情報を入力する。第２制御部２０６は、携帯端末３の各部の制御を司る処理部である。第２記憶部２０７は、携帯端末３の制御に必要な各種情報を記憶する。
【００２９】
次に、上記の情報提供システムＳＹＳの動作について説明する。
【００３０】
図５は、本発明の実施形態に係る情報提供システムＳＹＳの動作を説明するためのシーケンス図である。なお、旅行者は日本人だけでなく外国人も含まれるものとする。また、サービス事業者から各旅行者に携帯端末３が渡されるものとする。
【００３１】
図５に示す処理において、まず、情報提供装置１００の第１位置情報取得部１０１は、ＧＰＳ衛星から送信される位置情報を定期的に受信して取得する（ステップＳ１）。第１制御部１０５は、第１位置情報取得部１０１が位置情報を取得すると、その位置情報を第１通信部１０２を介してサーバ３０に送信する（ステップＳ２）。サーバ３０において、サーバ側通信部３１が情報提供装置１００から送信された位置情報を受信すると、管理部３２は、位置情報に応じた多言語の情報をデータベース３３ａ内において検索する（ステップＳ３）。そして、管理部３２は、検索した多言語の情報をデータベース３３ａから読み出し、読み出した多言語の情報をサーバ側通信部３１を介して情報提供装置１００に送信する（ステップＳ４）。
【００３２】
第１通信部１０２がサーバ３０から送信された多言語の情報を受信すると、第１制御部１０５は、受信した多言語の情報を第１表示部１０３に表示する（ステップＳ５）。このとき、第１表示部１０３は透明液晶ディスプレイで構成されているので、窓６０の外の景色と重畳して多言語の情報を表示することができる。また、第１制御部１０５は、多言語の情報を第１音声出力部１０４から音声出力させる（ステップＳ６）。旅行者は、第１音声出力部１０４の操作部（例えばチャンネル；図示せず）を操作することにより、自身が認識可能な言語のチャンネルに切り替えることができる。なお、旅行者は携帯端末３の第２操作部２０５を操作することで言語のチャンネルを切り替えるように構成してもよい。
【００３３】
第１制御部１０５は、多言語の情報を第１通信部１０２を介して携帯端末３に送信する（ステップＳ７）。携帯端末３において、第２通信部２０２が情報提供装置１００から送信された多言語の情報を受信すると、第２制御部２０６は、その多言語の情報を第２記憶部２０７に記憶するとともに、第２表示部２０３に表示する（ステップＳ８）。また、第２制御部２０６は、多言語の情報を第２音声出力部２０４から音声出力させる（ステップＳ９）。このように、携帯端末３において多言語の情報を表示及び音声出力するので、旅行者は携帯端末３でも多言語情報を確認することができる。また、旅行者は、多言語の情報を電子メールなどで自身の携帯端末やパーソナルコンピュータなどに送信することで、後で多言語の情報を確認することもできる。
【００３４】
以上に説明したように、本実施形態では、移動手段１，２に設置された情報提供装置１００と、旅行者に携帯される携帯端末３と、情報を提供するサーバ３０とを備え、情報提供装置１００は、移動手段１，２の位置情報を取得する第１位置情報取得部１０１と、第１位置情報取得部１０１で取得された位置情報をサーバ３０に送信し、サーバから送信された情報を携帯端末３に送信する第１制御部１０５と、を有し、サーバ３０は、情報提供装置１００から送信された位置情報に対応する多言語の情報を検索し、検索した多言語の情報を情報提供装置１００に送信する管理部３２と、を有する。このような構成によれば、外国人の旅行者が認識可能な多言語の情報を提供するとともに、外国人の旅行者が後で情報の確認を行うことができる。
【００３５】
また、情報提供装置１００は、移動手段１，２の窓に設けられ、該移動手段１，２の外の景色に重畳して多言語の情報を表示するので、景色を見ながら情報を確認することができる。また、情報提供装置１００は、多言語の情報を音声出力する第１音声出力部１０４を有するので、音声でも多言語の情報を確認することができる。また、携帯端末３は、情報提供装置１００から送信された多言語の情報を表示する第２表示部２０４を有するので、旅行者の手元でも情報を確認することができる。また、携帯端末３は、情報提供装置１００から送信された多言語の情報を音声出力するので、携帯端末３によっても音声で多言語情報を確認することができる。
【００３６】
また、旅行者は、建物の屋内に移動したとき携帯端末３を持っていく。携帯端末３の第２位置情報取得部２０１は、屋内に設置された送信機４０から送信された位置情報を取得する。第２制御部２０６は、第２位置情報取得部２０１で取得された位置情報をサーバ３０に送信する。サーバ３０の管理部３２は、携帯端末３から送信された位置情報に対応する多言語情報をデータベース３３ａ内において検索し、検索した情報を携帯端末３に送信する。携帯端末３の第２制御部２０６は、サーバ３０から送信された多言語の情報を第２表示部２０３に表示する。このような構成によれば、旅行者が建物の屋内に移動した場合でも、多言語情報を提供することができる。
【００３７】
以上、本発明の実施形態を説明したが、本発明の技術的範囲は、上記の実施形態に記載の範囲には限定されない。本発明の趣旨を逸脱しない範囲で、上記の実施形態に、多様な変更または改良を加えることが可能である。また、上記の実施形態で説明した要件の１つ以上は、省略されることがある。そのような変更または改良、省略した形態も本発明の技術的範囲に含まれる。また、上記した実施形態や変形例の構成を適宜組み合わせて適用することも可能である。
【００３８】
例えば、サービス事業者は旅行者に携帯端末３を提供していたが、ペンダント型翻訳機（外国の旅行者に首からぶら下げて使用する翻訳機）を提供してもよい。この翻訳機は、図４に示すような携帯端末３の構成を備えるとともに、日本語の音声を外国語（英語、中国語など）の音声に翻訳する機能を備えている。
【００３９】
また、サービス事業者は旅行者に携帯端末３を提供していたが、タブレット端末のような据え置き型翻訳機を提供してもよい。この翻訳機も、図４に示すような携帯端末３の構成を備えるとともに、日本語の音声を外国語（英語、中国語など）の音声に翻訳する機能を備えている。
【００４０】
また、携帯端末３は、画像を撮影する撮影機能（カメラ）を備え、撮影機能を撮影した画像を認識する機能を備えてもよい。この場合、携帯端末３は、撮影した画像内の情報を自動的に翻訳する機能をさらに備えてもよい。また、携帯端末３は、撮影した画像をサーバ３０に送信し、サーバ３０で画像内の情報の翻訳を行ってもよい。さらに、サーバ３０は、携帯端末３から送信された画像を翻訳者に翻訳させた上で携帯端末３に送信させるようにしてもよい。
【００４１】
また、携帯端末３は，Ｂｌｕｅｔｏｏｔｈ（登録商標）のような近距離無線通信機能を備えてもよい。旅行者にＯＲコードが貼られたリストバンドを交付し、旅行者が店舗での商品の購入時などにおいてリストバンドのＯＲコードと携帯端末３内の情報（例えばＩＤ情報）と連携させることで、商品の決済などを行うように構成してもよい。
【００４２】
また、第１表示部１０３は、窓６０の透明なガラスに張られた透明液晶ディスプレイとしていたが、バス１や船２の座席５０前方に設けられた液晶ディスプレイ、電光掲示板などであってもよい。また、サービス事業者が携帯端末３を貸し出すのではなく、旅行者自身の携帯端末に上記実施形態の動作を実現させるためのアプリケーションをダウンロードさせてもよい。
【符号の説明】
【００４３】
ＳＹＳ  情報提供システム
１      バス（移動手段）
２    船（移動手段）
３    携帯端末
３０    サーバ
３１    サーバ側通信部
３２    管理部
３３    サーバ側記憶部
１００，１００Ａ，１００Ｂ  情報提供装置
１０１  第１位置情報取得部
１０２  第１通信部
１０３  第１表示部
１０４  第１音声出力部
１０５  第１制御部
２０１  第２位置情報取得部
２０２  第２通信部
２０３  第２表示部
２０４  第２音声出力部
２０６  第２制御部
【図１】
2016177415.tif 000003
【図２】
2016177415.tif 000004
【図３】
2016177415.tif 000005
【図４】
2016177415.tif 000006
【図５】
2016177415.tif 000007